(57)【要約】【課題】遊技機を遊技機島に取付けるにあたり、遊技機島の上架板と装着枠との間隙に設けた押圧板で装着枠の上面を押圧して固定する取り付け装置に於いて、装着枠の取付け不具合に起因する遊技機島と遊技機の干渉や不完全な施錠状態を解消し、装着枠の取付けも簡易に行えるようにした。【解決手段】遊技機の装着枠の上面を押圧する押圧板と対応する装着枠の下面側に支持板を設け、この支持板を装着枠の傾きを規制する規制手段に備えて、上記の問題の解決を計るとともに装着枠の位置決めも合わせて行えるようにした。【選択図】図１
2013048872.tif 000002
【特許請求の範囲】
【請求項１】
遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下する押圧手段と、遊技機の装着枠の枠上板の後端部に当接して遊技機の傾きを規制し上下位置調整機構を備えた規制手段と、この規制手段は装着枠の下面側で押圧板と上下に対応する個所に設けた支持板を備え、押圧手段を操作して押圧板で遊技機の装着枠の枠上板を押圧して遊技機を遊技機島に固定するにあたり、押圧板と支持板とで装着枠を押圧挟持して固定および位置決めをすることを特徴とする遊技機の取付け装置。
【請求項２】
上記の規制手段は、装着枠の下面と後端部とに係合するＬ型の支持板を先端部に備え、支持板を遊技機の前後方向に移動調整して遊技機の傾きを設定できるようにして位置決めを行うとともに、上下位置調整機構によって支持板の高さを調整するようにしたことを特徴とする請求項１に記載の遊技機の取付け装置。
【請求項３】
上記の押圧板は、弾性板としたことを特徴とする請求項１に記載の遊技機の取付け装置。
【請求項４】
上記の押圧板は、押圧面にヤスリ等の滑り止めを設けたことを特徴とする請求項１と請求項３記載に記載の遊技機の取付け装置。
【発明の詳細な説明】
【技術分野】
【０００１】  この発明は、パチンコ台などの遊技機を遊技機島に取付ける遊技機の取付け装置に関する。
【背景技術】
【０００２】  パチンコ台などの遊技機１は、図２で示したように裏側に設けた矩形の装着枠２にヒンジ構造３によって開閉自在および取外し自在に取付けられており、遊技機１を図１で示した遊技機島４に取付ける場合、装着枠２を外して遊技機島４の上架板５と下架板６と縦部材７とで形成された区画Ｃ内に配置し、この装着枠２の枠上板８と枠下板を９をビス等で止着したり、専用の取り付け器具で固定した状態で遊技機１をヒンジ構造３を介して装着枠２に取付け、遊技機１を遊技機島４に閉じて使用に供する。【０００３】  上記の遊技機の取付け作業の簡略化を計る上で、下面に鋭利な刃先を形成した部材を備え、木製の装着枠の枠上板に刃先を喰い込ませて取付ける装置が提案されている。（特許文献１）この取付け装置では、遊技機島の上架板の後端部に刃先を通過させるための通過溝を加工形成しなければならず、また、装着枠が金属製の場合、または装着枠の角部の金属板の補強個所では刃先が喰い込めないので該個所での取付けができなかった。
【先行技術文献】
【特許文献１】特開２０１０−２４０２６５
【０００４】
【発明の概要】
【発明が解決しようとする課題】
【０００５】  この発明が解決しようとする課題は、遊技機島の上架板に溝等の切り欠き加工をしなくとも、遊技機の装着枠を遊技機島に堅固に取付ける装置を提供するものであり、さらに装着枠の固定が枠上板が撓まない個所で行えるようにして、固定の不安定さや枠全体の変形に起因する遊技機島と遊技機の干渉を無くすことにある。【０００６】  遊技機島の上架板は、特別に設計変更する以外は厚み２０ミリ前後、取付け有効巾７０ミリ〜８０ミリと規格化されており、遊技機島の上架板の後端を切り欠いて、この切り欠き内に刃先が通過するようにした従来装置の場合、遊技機の装着枠の枠上板の前後巾の規格寸法は最大７０ミリ、最小で５０ミリ程度で巾の狭い場合は枠上板の後端は２０ミリ前側となり、この巾の狭い場合の枠上板を確実に固定するには遊技機島の上架板の切り欠きは通常よりさらに前側に切り欠く必要がある。遊技機島の上架板の取付け有効部（板水平の箇所）は前述のように後端より７０ミリ〜８０ミリで規格化されているので、上記の切り欠きは上架板の巾の半分もしくはそれ以上となり、工事が困難でさらに遊技機島全体の強度劣化の原因となる。【０００７】  また、前記の（特許文献１）のように遊技機の装着枠の枠上板の上面に刃先を喰い込ませて固定する場合、左右の枠縦板の上部、即ち、角部以外では撓んで固定状態が不安定になり、さらに枠全体が歪んで変形するので、遊技機の取付けにおいて遊技機島と遊技機が干渉して遊技機の開閉や施錠に支障をきたす。しかし、この左右の角部はＬ型の金属板で補強されていて刃先が喰い込むことができないので中心側の撓む個所でしか固定ができない。枠上板の下面側に撓みを支える補助板を設けて補助的に解消を計っても、撓む度合いが大きいので補助板自体が下降して撓みの発生は解消できない。【０００８】また、補助板の高さは枠上板の下面に密着するように調整しなければならないが、補助板は所定の高さでロックするようにしているので、調整の都度にロックの解除と固定の操作を繰り返さなければならず繁雑であるとともに、最適な高さでロックするには周辺が狭いため難しいものであり、結果として装着枠が撓んで固定状態にバラツキがあり遊技機の取付けが不安定なものになっていた。
【課題を解決するための手段】
【０００９】  この発明によれば、遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下する押圧手段と、遊技機の装着枠の枠上板の後端部に当接して遊技機の後方への移動を規制し上下位置調整機構を備えた規制手段と、この規制手段は装着枠の下面側で押圧板と上下に対応する個所に設けた支持板を備え、押圧手段を操作して押圧板で遊技機の装着枠の枠上板を押圧して遊技機を遊技機島に固定するにあたり、押圧板と支持板とで装着枠を押圧挟持して固定および位置決めをする遊技機の取付け装置を提供した。【００１０】  上記の規制手段は、装着枠の下面と後端部とに係合するＬ型の支持板を先端部に備え、支持板を遊技機の前後方向に移動調整して遊技機の傾きを設定できるようにして位置決めを行うとともに、上下位置調整機構によって支持板の高さを調整するようにした。【００１１】  上記の押圧板は、弾性板とした。【００１２】  上記の押圧板は、押圧面にヤスリ等の滑り止めを設けた。【００１３】  以上の解決手段によって上記の課題が解決される。
【発明の効果】
【００１４】  この発明は、上記のように構成したので遊技機島の上架板と遊技機の装着枠の枠上板との間隙内に設けた押圧板が、この先端部から順次に遊技機の装着枠の枠上板を押圧して遊技機を遊技機島に堅固に取付けるので、遊技機島の上架板に切り欠きを形成することがなく、遊技機島の上架板の強度の減少や遊技機島の上架板の加工等を原因とする装置自体の取付け工事の難度が解消できる。【００１５】  また、この取付け装置は装着枠の枠上板に対して押圧抵抗力および摩擦抵抗力で固定するものであり、押圧部材を板状としたので抵抗及び摩擦面積が大きく堅固に固定でき、さらに押圧板と対向する個所の装着枠の下面に支持板を設けたので、押圧面が金属面であっても上下より挟持して堅固に固定でき、結果として装着枠の枠縦板の上部個所を押圧して固定できるので枠上板は撓みが無く、遊技機島に取付けた遊技機は開閉時に遊技機島と干渉せず施錠も確実に行われる。【００１６】  また、押圧板は弾性作用によって遊技機島の上架板と遊技機の装着枠の枠上板との間隙の大小に関係なく枠上板を押圧して支持板と挟持して固定するので、遊技機は遊技機島に堅固に固定され、上記の間隙量に変化が生じても固定状態に影響を受けない。また、遊技機を長期間取付けたままの状態に起因する装着枠の撓みや、遊技機自体の振動による取付け箇所の緩み等は押圧板の弾性によって吸収するので、遊技機は長期間取付けたままでも開閉時に外れたりすることがない。【００１７】  また、装着枠の枠上板の下面側で押圧板に対応する支持板は、規制手段の先端部に設けたので装着枠の下面の高さに合わせて行う上下の調整操作が別々でなく一度で行えるとともに支持板はＬ型としたので装着枠の後方への位置決めが兼用される。【００１８】  また、支持板は上下位置調整機構によって装着板の下面を押圧する高さに簡易に調整でき、調整後にロック等を必要としないので調整作業が簡略化している。【００１９】  また、押圧板は弾性板として押圧面に設けたヤスリ等の滑り止めを形成したので押圧抵抗力及び摩擦抵抗力が向上し、上記の弾性作用との相乗効果で、装着枠が金属性の場合においても木製と同様に堅固に固定できる。
【図面の簡単な説明】
【００２０】
【図１】この発明の一実施例を示す遊技機島の正面図
【図２】遊技機と装着枠の開閉状態を示す斜視図
【図３】図１のＡ−Ａ線に沿う遊技機の取付け装置を設置した遊技機島の断面図
【図４】同上、遊技機の取り付け装置の拡大図
【図５】遊技機の取り付け装置の押圧手段の動作を示す側面図
【図６】図４のＢ−Ｂ線に沿う断面図
【図７】図４のＣ−Ｃ線に沿う断面図
【図８】遊技機の取り付け装置の分解図
【図９】上下位置調整手段の動作状態を示す断面図
【図１０】押圧板の待機状態を示す断面図
【図１１】支持板の支持状態を示す断面図
【図１２】支持板を備えた規制手段の断面図
【図１３】押圧板の斜視図
【図１４】規制手段の上下位置調整機構の分解斜視図
【図１５】上下位置調整機構の側面図
【発明を実施するための形態】
【００２１】  この発明を図面に基づいて説明する。
【００２２】  この発明の遊技機の取付け装置Ａは図１で示した遊技機島４の区画Ｃに対応し左右一対として上架板５に取付けられている。遊技機島４はこの上架板５と下架板６と通常サンドと称する玉供給用のケース等を含む縦部材７で区画Ｃが形成されている。この区画Ｃに遊技機１が配置されて使用に供する。
【００２３】  遊技機１は図２で示したように装着枠２がヒンジ構造３を介して機体の裏側に閉じた状態で上記の区画Ｃ内に取付けられる。区画Ｃ内に配置された遊技機１は図３で示したように装着枠２の枠下板９が下架板６上に載置され且つ、枠上板８が上架板５の下方で適宜な間隙Ｄを保持して対向するようにして装着枠２が取付けられ、結果として遊技機１が遊技機島４に開閉自在として取付けられる。
【００２４】  この発明の取付け装置Ａは装着枠２の上部の取付け、即ち枠上板８に対する取付け装置に関するもので、一方、枠下板９の取付けは、釘やビスもしくは従来の取付け装置等で特に限定するものではない。また、この取付け装置Ａは枠上板８を下方に押圧して固定するものであり、枠上板８の取付けにおいて枠下板９も同様に下架板６を押圧して固定されるので枠下板９の後方への移動を規制することができればとくに固定手段を利用しなくとも堅固に固定される。
【００２５】  上架板５と枠上板８の間隙Ｄは装着枠２が自在に出入りできるように設計上３ｍｍ程度の間隔が保たれており、この取り付け装置Ａは上記の間隙Ｂ内に押圧板１６を配置してこの枠上板８の上面を押圧して装着枠２を固定するものである。しかしながら押圧板１６は装着枠２の出入りの邪魔にならない１ｍｍから２ｍｍ程度の厚みに限定される上に、押圧板１６を単に水平降下させて枠上板８を押圧したとしても、押圧板１６の先端部が枠上板８の上面より上方に反り上がり後端部のみが枠上板８の後端部上面を押圧することになる。この不安定な取付け状態では高重量の遊技機１を堅固に固定することはできないので、点検等で遊技機１を前方に開いた場合、遊技機１の左側上部の取付け部に全体の荷重が掛かると、枠上板８の上面の前側が押圧板１６で押圧されていないため前方に動いて遊技機１は脱落する。
【００２６】  また、枠上板８の規格巾は７０ｍｍであるが特殊な場合は５０ｍｍ程度の物もあり、枠上板８は前端の位置を基準として取り付けられるため巾が狭い場合、押圧板１６は先端部の上方に反り上がった個所のみで押圧することになり遊技機１の固定状態は尚一層悪くなる。この取付け装置Ａは上記の観点より押圧板１６をこの後端側を支点として先端側を降下させて押圧板１６の先端部で枠上板８の前側の上面を押圧するようにして上記の問題を解決したものである。
【００２７】  図３より図８で示した取付け装置Ａは、遊技機島４の上架板５と装着枠２の枠上板８との間隙Ｄ内に設けた押圧板１６と、上下位置調整手段１７を介して押圧板１６を設けた押圧手段１８と、上下位置調整機構７８を備えた規制手段１９と、この規制手段に設けられた支持板８６で構成している。
【００２８】  押圧板１６は、鉄材質のＳＫ材を焼き入れしたバネ板等を一例とするバネ作用を有する弾性板であり、下面の押圧面２０に図１３で示したようにヤスリ等の滑り止め２１を形成し、この下面の先端部をテーパー状２２としている。ヤスリの形成にあたってはタガネの打撃による刻設や粉体金属の焼結による形成、または微粒ダイヤのメッキによる固着等の手段で形成するが、刻設の場合は押圧板１６が後端方向に移動したときに抵抗を受ける向きにヤスリの目を形成する。
【００２９】  上記の押圧手段１８は、ケース本体２３に回転支点部を枢着した逆Ｌ型のリンク部材２４と、このリンク部材２４の下端側に設けられ押圧板１６を接続する上下位置調整手段１７と、リンク部材２４の他端に係合したナット部材２６およびこのナット部材２６に螺合した操作ボルト２７とで構成している。
【００３０】  押圧板１６は図８に示したように、後端部２８の上面に取付け金具２９を止着している。取付け金具２９は透穴３０を形成した凸形状の頂部の下面にナット３１を固着し、基底部３２に螺子穴３３と押圧板１６の取付け穴３４によって螺子３５で押圧板１６に止着している。
【００３１】  リンク部材２４は左右一対の腕部３７と、この下端側に一体で設けた上記の取付け金具２９を上下方向スライド自在に収容する収容部３６とで構成している。収容部３６の内部には下端に６角穴３８を備えた調整螺子３９が回転自在に設けられている。調整螺子３９は上部の径小部４０を収容部３６の天板４１の軸穴４２に挿通して突出端にワッシャー４３を介してピン穴４４にピン４５を止着して回転自在としている。
【００３２】  図６および図９で示したように、取付け金具２９を上記の収容部３６内に入れて調整螺子３９の下端の６角穴３８を押圧板１６の穴４６より６角レンチで回し、調整螺子３９を取付け金具２９のナット３１に螺合すると取付け金具２９は収容部３６内で回転を規制されて止着している押圧板１６を上昇し逆回転で下降する。押圧板１６は上記の構成による上下位置調整手段１７によってリンク部材２４の下端に接続される。
【００３３】  ケース本体２３の内部には両側にカム４７を一体に形成したナット部材２６を螺合した操作ボルト２７が回転自在に設けられている。ナット部材２６のカム４７はケース本体２３の左右の案内溝４８内に移動自在として架設されている。操作ボルト２７は上端部に形成した径小な空転部４９をケース本体２３の天井部の軸穴５０に配置し、後端の径小部５１をケース本体２３の内部下側に止着した軸受板５２の軸穴５３に挿通してケース本体２３内で回転自在に立設されている。操作ボルト２７は径小部５１より連続して形成した６角の操作部５４をレンチ等で回すとナット部材２６はカム４７が案内溝４８によって回転を規制されるのでケース本体２３の上下方向に移動する。軸受板５２は左右の取付け部５５とケース本体２３との双方の止着穴５６および止着穴５７に径大な頭部を有する支軸５８を挿通して本体ケース２３よりの突出端のピン穴５９にピン６０を嵌入して本体ケース２３内に止着されている。
【００３４】  リンク部材２４は一対の腕部３７をケース本体２３の外側に配置して収容部３６の他端に形成したカム溝６１にナット部材２６のカム４７を係合し、回転支点部の支点穴６２とケース本体２３の軸穴６３に支軸６４を挿通してこの突出端のピン穴６５にピン６６を嵌入してケース本体２３に取付けられている。
図５で示したように、上記の操作ボルト２７の操作部５４を回すとナット部材２６の移動にともなってリンク部材２４の下端部に接続した押圧板１６は接続個所となる後端側を支点として先端部が降下もしくは上昇する。
【００３５】  ケース本体２３は、一端に垂下片６７を形成した底部に止着穴６８を設けた凹型の取付け板６９を挿通穴７０と螺子穴７１に螺子７２で下側の内部に止着している。このケース本体２３を上架板５に取付けるには取付け板６９を上架板５上に配置し、一体の垂下片６７が上架板５の後端に当接した状態で、上架板５の下側より先端に螺子形成機能を有するビス７３で取付け板６９の止着穴６８に螺子を切りながら貫通してケース本体２３を堅固に固定する。
【００３６】  規制手段１９は、軸受板５２の一側に曲折形成した案内板７５と、この案内板７５に上下移動自在として止着した規制板７６および規制板７６に螺合した規制ボルト７７とで構成され、規制板７６に取付け穴９０を挿通してボルト７９を固着し、このボルト７９は案内板７５の長穴８０に挿通してナット８２によって上下位置を固定するようにして上下位置調整機構７８を構成している。また、規制板７６は上下移動にあたり曲折部８３が案内板７５の外縁に係合して移動案内する。規制板７６の下端後側にはガイド穴１０４を介して規制ボルト７７を螺合するナット８８が止着している。図１２で示したように、規制ボルト７７は、支持板８６の穴１０５に径大な頭部８５を配置し、Ｌ型の支持板８６および支持板８６と固着した案内板８７の挿通穴８９を回転自在に挿通し、ナット９１を螺合してナット８８に同じく螺合している。規制ボルト７７にはワッシャー１０６を介してピン９２をピン穴９３に嵌入して抜けを防止する。支持板８６は装着枠２の枠上板８の後端部に当接してさらに枠上板５の下面に係合する高さに上記の上下位置調整機構７８によって調整し、規制ボルト７７を回して枠上板８の傾きの位置決めをし、位置決め後は螺合したナット９１を締めて固定する。上記の装着枠２の位置決めは、装着枠２の枠縦板９５の前面に傾き測定器を当てて所望の傾きで枠上板８の後端の位置を規制して傾きを設定する。
【００３７】  図１４および図１５は規制手段１９の上下位置調整機構７８の他の実施例を示している。軸受板５２の一側に曲折形成した案内板７５は長穴８０の外側上下に軸受部９６を上下に設け、一方、規制板７６の曲折部８３には軸受部９６内に配置するコ型のナット部材９７を固着している。規制板７６を前述と同様にして案内板７５に装着して、下端に六角の操作部９８を形成したボルト９９を軸受部９６の軸穴１００を介してナット部材９７に螺合し、径小な突出端１０１のピン穴１０２にピン１０３を嵌入して抜け防止を計る。ボルト７９に螺着するナット８２を規制板７６が上下にスライド可能な螺合状態として、操作部９８をレンチで回し、規制板７６を上下に移動して支持板８６を装着枠２の下面に押圧係合する。
【００３８】  上記の取付け装置Ａによって遊技機１を取付けるには、操作部５４を回して押圧板１６を図９で示したように間隙Ｄ内で水平の姿勢とし、ついで押圧板１６の下側より調整螺子３９を回して上架板５の下面方向に上昇させる。次いで操作部５４を押圧板１６の先端部が上昇する向きに回転してこの先端部を上架板５の下面に図１０で示したように押圧当接する。押圧板１６は先端部の下面をテーパー状２２としているので、上記の待機状態で遊技機島４の区画Ｃに遊技機１の装着枠２が導入される際に枠上板８が押圧板１６の先端に当たってもテーパー状２２の案内で衝突することが無く、また押圧板１６の先端部は弾機作用で上架板５の下面に当接しているので先端部が下がって導入の障害となることが無い。
【００３９】  次に装着枠２を区画Ｃ内に導入する。この際に枠上板８は後端を支持板８６に当接して後方の移動を規制される。支持板８６は枠上板８の下面の位置に対応してナット８２を緩めて上下位置を調整するか、もしくは他の実施例による操作部９８を回して上下位置を調整する。遊技機１は上部が後方に傾いた姿勢で遊技機島４に取付けられるものであり、この傾きの調整はナット９１をゆるめて規制ボルト７７を回し、設定後はナット９１を締めて行う。
【００４０】  上記の遊技機１の区画Ｃへの導入にあたり、枠下板９も同様にしてビスもしくは下の取付け装置で位置決めおよび取付けが行われる。
【００４１】  次に操作部５４を押圧板１６の先端部が下降する向きに回して、図１１で示したように押圧板１６の下面で先端部より順次に枠上板８を押圧して装着枠２を堅固に固定する。この時、押圧板１６の先端部は後方に移動しながら枠上板８を降下押圧するので枠上板８は同様に支持板８６を押し付けて位置決めされる。操作部５４は電動ドライバーもしくは手動レンチ等で操作するが、締め付けトルクを設定することで装着枠２の固定力を一定とすることができる。
【００４２】  遊技機１を取外す場合は、操作部５４を上記と逆向きに回して押圧板１６の先端部を前述の待機姿勢にまで上昇して取外しに供する。
【００４３】  この取付け装置Ａは装着枠２の枠縦板９５の上部個所を押圧することで枠上板８が撓む等の影響を受けず、さらに押圧板１６と支持板８６で上下より挟んで固定するので、間隙Ｄが多少大きい場合でも押圧力が一定となり堅固に固定することができる。また、上架板５の上部は区画Ｃと同様個所に補強仕切りが立設しているので枠縦板９５の真上に取付け装置を設置することは現実にはできない。この取り付け装置Ａでは押圧板１６が板状で左右の巾があるので取付け位置に制限されずに枠縦板９５の真上より押圧することができる。支持板８６の高さ調整はロックおよび解除の操作を経ずとも直接的に調整できるので、装着枠２の取り付け作業が簡易に行える。
【産業上の利用可能性】
【００４４】  この発明の遊技機の取付け装置はパチンコ台の取付け以外にスロットマシーンの取付けにおいても同様に利用できる。
【符号の説明】
【００４５】  Ａ・・・取付け装置
Ｃ・・・区画
Ｄ・・・間隙
１・・・遊技機
２・・・装着枠
４・・・遊技機島
５・・・上架板
６・・・下架板
７・・・縦部材
８・・・枠上板
９・・・枠下板
１０・・・位置決め装置
１６・・・押圧板
１７・・・上下位置調整手段
１８・・・押圧手段
１９・・・規制手段
２０・・・押圧面
２１・・・滑り止め
５２・・・支持板
７８・・・上下位置調整機構
【図１】
2013048872.tif 000003
【図２】
2013048872.tif 000004
【図３】
2013048872.tif 000005
【図４】
2013048872.tif 000006
【図５】
2013048872.tif 000007
【図６】
2013048872.tif 000008
【図７】
2013048872.tif 000009
【図８】
2013048872.tif 000010
【図９】
2013048872.tif 000011
【図１０】
2013048872.tif 000012
【図１１】
2013048872.tif 000013
【図１２】
2013048872.tif 000014
【図１３】
2013048872.tif 000015
【図１４】
2013048872.tif 000016
【図１５】
2013048872.tif 000017